(57)【特許請求の範囲】
【請求項１】
釘の頭部の直径よりも大きな直径Ｌ１を有する棒状のハンマの先端面から内部に、釘の頭部における凸半球形の表面に対応する凹部を形成した釘打機のハンマであって、凹部の外周縁部の全域に前記頭部の表面に整合する凸部を環状に形成し、この凸部が釘打時に前記頭部の表面に接触した際、凹部の凸部よりも内側に位置する中央側内面が前記頭部の表面に非接触となる形状に形成され、ハンマの先端面はハンマの軸心と直交する平坦面に形成され、凹部は釘の頭部の直径Ｌ４と略同一の直径Ｌ２を有し、凸部がハンマの中心と同心円の環状に形成され、凸部の釘の頭部と対応する表面は頭部の表面に整合する曲面に形成され、凸部の最大直径は凹部の直径Ｌ２と略同一に定められ、凸部の最小直径Ｌ３は釘の軸部の直径Ｌ５と頭部の直径Ｌ４との間の寸法に定められた（Ｌ１＞Ｌ２＝Ｌ４＞Ｌ３＞Ｌ５）ことを特徴とする釘打機のハンマ。
【発明の詳細な説明】
【０００１】
【発明の属する技術分野】
本発明はパチンコ機等のような遊技機を製造する際に用いられる釘打機のハンマであって、特に、釘打時にハンマが釘の頭部に接触する部分の構造に関する。
【０００２】
【従来の技術】
特公平３−４２９０８号公報で開示されたように、遊技盤をテーブルに位置決め搭載し、このテーブルを釘打データによる打込位置と順序とに従い平面内で縦横に移動して遊技盤の所定位置を釘ホルダー機構の下に位置決め停止し、釘供給部から釘ホルダー機構に供給された遊技釘や障害釘と呼ばれる釘を、ハンマ機構で遊技盤に打込むようにした釘打機は知られている。
【０００３】
【発明が解決しようとする課題】
図２は従来の前記ハンマ機構における釘を打つ部品であるハンマの先端部であって、ａ図は軸方向に沿い切断した断面を示し、ｂ図は先端側より見た平面を示す。図２において、ハンマ１１の先端面には凹部１２を有する。凹部１２は釘２１の頭部２２における凸半球形の表面２３に対応する形態に形成される。凹部１２には頭部２２の表面２３に整合する凸部１３がハンマ１１の中心１４と同心円状の環状に形成されている。凸部１３の最大直径Ｌ６は凹部１２の直径Ｌ７よりも小さく定められている（Ｌ６＜Ｌ７）。そして、釘打時において、凸部１２が釘２１の軸部２４の真上に位置する頭部２２の表面２３に接触した際、凹部１２の凸部１３よりも内側に位置する中央側内面１５と外側に位置する外側内面１６とが頭部２２の表面２３に非接触となる形状に形成されている。この構造により、釘打時において、ハンマ１１より釘２１への打込力が凸部１３より頭部２２にそのてっぺんを避けつつ軸部２４に直接的に作用する。このため、釘２１が遊技盤に打込まれる際の衝撃がハンマ機構及びテーブルに作用し、騒音と振動とが発生してしまう。
【０００４】
そこで、本発明は、釘打時のハンマが釘の頭部てっぺんと軸部を避けた頭部の弾性限界内の外周部に打込力を作用させることにより、騒音と振動との低減が図れる釘打機のハンマを提供しようとするものである。
【０００５】
【課題を解決するための手段】
請求項１に係る釘打機のハンマは、釘の頭部の直径Ｌ４よりも大きな直径Ｌ１を有する棒状のハンマの先端面から内部に、釘の頭部における凸半球形の表面に対応する凹部を形成した釘打機のハンマであって、凹部の外周縁部の全域に前記頭部の表面に整合する凸部を環状に形成し、この凸部が釘打時に前記頭部の表面に接触した際、凹部の凸部よりも内側に位置する中央側内面が前記頭部の表面に非接触となる形状に形成され、ハンマの先端面はハンマの軸心と直交する平坦面に形成され、凹部は釘の頭部の直径Ｌ４と略同一の直径Ｌ２を有し、凸部がハンマの中心と同心円の環状に形成され、凸部の釘の頭部と対応する表面は頭部の表面に整合する曲面に形成され、凸部の最大直径は凹部の直径Ｌ２と略同一に定められ、凸部の最小直径Ｌ３は釘の軸部の直径Ｌ５と頭部の直径Ｌ４との間の寸法に定められた（Ｌ１＞Ｌ２＝Ｌ４＞Ｌ３＞Ｌ５）ことを特徴としている。
【０００６】
【発明の実施の形態】
図１は本発明の一実施形態であって、ａ図は軸方向に沿い切断した断面を示し、ｂ図は先端側より見た平面を示す。図１において、ハンマ１はハンマ機構のハンマヘッドに交換可能に取付けられるものであって、釘２１の頭部２２の直径Ｌ４よりも大きな直径Ｌ１を有する棒状の鋼材により形成される。ハンマ１の先端面２はハンマ１の軸心３と直交する平坦面に形成され、先端面２には凹部４を有する。凹部４は頭部２２の直径Ｌ４と略同一の直径Ｌ２を有する。凹部４には凸部５がハンマ１の中心３と同心円の環状に形成されている。凸部５の釘２１と対応する表面は頭部２２の表面２３に整合する曲面に形成されている。凸部５の最大直径（外径）は凹部４の直径Ｌ２と略同一に定められ、凸部５の最小直径（内径）Ｌ３は釘２１の軸部２４の直径Ｌ５と頭部２２の直径Ｌ４との間の寸法に定められている。上記寸法Ｌ１〜Ｌ５の関係は、Ｌ１＞Ｌ２＝Ｌ４＞Ｌ３＞Ｌ５である。そして、釘打時において、凸部５の曲面なる表面が頭部２２の表面２３に接触した際、凹部４の凸部５よりも内側に位置する中央側内面６が頭部２２の表面２３に非接触となる形状に形成されている。
【０００７】
この実施形態の構造によれば、釘打時おいて、ハンマ１の凸部５と釘２１の頭部２２の表面とが全面当りとなり、打込力が凸部５より釘２１の頭部２２のてっぺんと軸部２４の真上とを避けた外周部に作用し、頭部２２の外周部における弾性限界内の撓みがハンマ１より釘２１に作用する衝撃を吸収する。このため、釘１が遊技盤に打込まれる際にハンマ機構及びテーブルに作用する衝撃が緩和され、騒音と振動とが低減できる。又、釘打時に凸部２より頭部２１の外周部を押えることにより、釘２１の中心とハンマ１の中心３とが同一線上となるセンターが出やすくなり、釘２１を遊技盤に曲がらずに打込むことができる。
【０００８】
又、この実施形態の構造によれば、ハンマ１における先端面２の直径Ｌ１が凹部４の直径Ｌ２より大きいので、ハンマ１が凹部４より外側に先端面２による平坦な環状の縁取りを有する。よって、ハンマ１を交換するような場合、作業者がハンマ１の先端部に触れても怪我をしない。
【０００９】
又、この実施形態の構造によれば、中央内側面６が頭部２２の表面２３と対応する半球形凹状に形成されたので、中央内側面６の半球形凹状より凸部５及び先端面２に連なる部分が肉厚に形成され、凸部５及び先端面２が打込に対する耐久力を保有できる。
【００１０】
前記実施形態では凹部４の中央内側面６を頭部２２の表面２３と対応する半球形凹状に形成して、凸部５及び先端面２に耐久力を持たせたが、凹部４の中央内側面６は打込時に頭部２２の表面２３に非接触となる形状であれば上記半球形凹状以外のどのような形状でも良い。その場合、ハンマ１の凸部５及び先端面２が打込時の衝撃で破損しないような耐久力を勘案することはハンマ１の機能上必要である。
【００１１】
【発明の効果】
以上のように、請求項１の発明によれば、先端面の直径Ｌ１、凹部の直径Ｌ２、凸部の最小直径Ｌ３、釘の頭部の直径Ｌ４、釘の軸部の直径Ｌ５における寸法が、Ｌ１＞Ｌ２＝Ｌ４＞Ｌ３＞Ｌ５の関係を有するので、釘打時において、ハンマの凸部と釘の頭部の表面とが環状で全面当りとなり、打込力が凸部より釘の頭部のてっぺんと軸部の真上とを避けた外周部に作用し、頭部の外周部の弾性限界内の撓みがハンマより釘に作用する衝撃を吸収し、釘が遊技盤に打込まれる際において、ハンマ機構及びテーブルに作用する衝撃を緩和でき、騒音と振動とを低減でき、釘打時に凸部より頭部の外周部を押えることにより、釘の中心とハンマの中心とが同一線上となるセンターが出やすくなり、釘を遊技盤に曲がらずに打込むことができる。
【図面の簡単な説明】
【図１】  本発明の実施形態であり、ａ図は断面図、ｂ図は先端側平面図。
【図２】  従来のハンマであって、ａ図は断面図、ｂ図は先端側平面図。
【符号の説明】
１  ハンマ
２  先端面
４  凹部
５  凸部
６  中央内側面
２１  釘
２２  頭部
２３  表面
【図１】
0003663062.tif 000002
【図２】
0003663062.tif 000003